(57)【要約】【課題】ホームページ上から映像情報を配信することができる映像情報配信システムを提供する。【解決手段】配信依頼者のホームページと、配信依頼者から依頼された映像情報についてインターネットを利用して配信可能な映像データとして蓄積した映像配信業者の映像配信サーバと、映像情報の配信要求を配信依頼者のホームページを介して行う視聴者の映像受信装置とから構成され、映像配信業者は、配信依頼者に管理番号を割り付けるようにした映像情報配信システムであって、映像配信サーバに蓄積された映像データは、この管理番号と対応付けられて記憶され、かつ、配信依頼者のホームページは、この管理番号を介して映像配信サーバに蓄積された映像データにリンクされている映像情報配信システムである。【選択図】        図１
2004297743.tif 000002
【特許請求の範囲】
【請求項１】
インターネットを利用して映像情報の配信を依頼する配信依頼者のホームページと、前記配信依頼者から依頼された映像情報についてインターネットを利用して配信可能な映像データとして蓄積した映像配信業者の映像配信サーバと、前記映像情報の配信要求を前記配信依頼者のホームページを介して行う視聴者の映像受信装置とから構成され、前記映像配信業者は、前記配信依頼者に１個または複数の管理番号を割り付けるようにした映像情報配信システムであって、
前記映像配信サーバに蓄積された前記映像データは、前記管理番号と対応付けられて記憶され、かつ、
前記配信依頼者のホームページは、前記配信依頼者に割り付けられた管理番号を介して前記映像配信サーバに蓄積された前記映像データにリンクされていることを特徴とする映像情報配信システム。
【請求項２】
前記映像配信サーバは、前記管理番号と前記蓄積した映像データとの対応付けを行うサーバ管理ファイルを備えていることを特徴とする請求項１に記載の映像情報配信システム。
【請求項３】
前記配信依頼者のホームページであって、前記管理番号を介して前記映像配信サーバに蓄積された前記映像データにリンクさせるプログラム部分には、前記配信依頼者に割り付けられた管理番号が埋め込まれていることを特徴とする請求項１に記載の映像情報配信システム。
【請求項４】
前記映像配信業者は、前記配信依頼者に割り付けた管理番号を前記配信依頼者にレンタルまたは販売することを特徴とする請求項１から請求項３に記載の映像情報配信システム。
【発明の詳細な説明】
【０００１】
【発明の属する技術分野】
本発明は、インターネットを利用して音声を含む映像情報を一般の視聴者に配信する映像情報配信システムに関するものである。
【０００２】
【従来の技術】
従来、インターネットを利用した映像情報配信システムは、一般の視聴者から映像データの配信要求が発生すると、配信する映像データを蓄積した映像配信サーバは、配信要求された映像データを一括して視聴者のパソコン等にダウンロードし、視聴者は要求した映像データを全て受信した後に、受信した映像データを再生する方式が採用されていた。
【０００３】
近年のインターネットの普及、通信速度の高速度化、映像（動画像も含む）データの圧縮技術の進歩により、視聴者はインターネットを介してホームページにアクセスし、このホームページにリンクされた映像データを直ちに視聴することができるシステムが広く実用化されてきている。
【０００４】
この一例として、いわゆるストリーミング方式による映像データの配信も実用化されている。このストリーミング方式とは、インターネットに接続された視聴者のパソコンは、インターネットを介して音声も含む映像データを受信しながら、直ちに受信した映像データを再生する方式である。ストリーミング方式による映像情報配信システムとしては、例えば、下記の特許文献１が提案されている。
【０００５】
【特許文献１】特開２００２−３５４４５１号公報（明細書第４頁〜第７頁、図１〜図３）
【０００６】
上記特許文献１には、簡単なパソコン操作により映像の受信が可能なストリーミング放送システムの提供を目的とし、ストリーミング放送用データを映像配信元毎のチャンネルに対応させてインターネット等の通信基盤上に送出し、視聴者は受信端末によりこのチャンネルを選択することにより、映像情報を受信し再生する方式、いわゆるストリーミング放送システムが提案されている。このシステムにおいては、一般のテレビと同じ感覚で映像情報の配信要求と再生を行おうとするものである。
【０００７】
【発明が解決しようとする課題】
上記したインターネットを介して配信業者、または企業等のホームページにアクセスし、このホームページにリンクされている映像データを配信する方式は、現在、広く普及している。この従来のホームページ上から映像データの配信要求を行う方法は、ホームページを作成するためのＨＴＭＬ言語内に、配信要求する映像ファイル名を記述（埋め込む）し、ホームページからこの映像ファイルにリンクさせていた。この映像ファイル名を直接記述する方法においては、次のような欠点が生じる。
【０００８】
通常の場合、配信する映像情報には配信する期間等がある。従って、配信期間が終了した映像は配信を中止したり、新規の映像情報を追加して配信しようとすると、映像ファイル名も変更されるので、ホームページを作成するＨＴＭＬ言語等も変更する必要が生じる。この理由は、上記のように、ホームページを作成する言語（プログラム）内に、配信要求する映像ファイル名を記述しているからである。
【０００９】
特許文献１に記載の発明は、視聴者の受信装置の操作性を改善するために、映像配信元ごとにチャンネルを割り当て、番組発信元はストリーミング放送用データをこのチャンネルに対応させて通信基盤上に送出するシステムである。このため、視聴者は受信装置から希望する映像データの配信を要求するときには、受信装置からチャンネル番号を選択する必要がある。視聴者がチャンネル番号を選択するためには、チャンネル番号ごとのストリーミング放送番組表をインターネット上に公開する必要がある。しかし、視聴者にとっては、チャンネル番号の選択は、必要不可欠なものではなく、ホームページの画面からチャンネル番号を選択することなく、映像情報の配信要求ができるシステムにすれば、操作性はさらに優れているといえる。
【００１０】
さらに、特許文献１に記載の発明においては、配信する映像データの数、すなわちチャンネル番号数が多くなると、視聴者は、受信装置の画面を利用して希望するチャンネル番号を選択する操作は煩わしくなる。
また、配信する映像データを蓄積（記憶）した映像配信サーバにおいては、これら蓄積した映像データ数が増加すると、この蓄積した映像データの管理、メンテナンスが重要になる。この理由は、上記の通り、配信する映像データには配信する期間（期限）があるため、チャンネル番号が割り付けられた映像データの削除、登録作業が度々発生するからである。特許文献１には、映像データを蓄積した映像配信サーバのデータ管理方法等については記載されていない。
【００１１】
そこで、本発明の目的は、上記従来のインターネットを利用した映像情報の配信システムをさらに改善し、ホームページを介して映像情報の配信要求を行う視聴者は、従来のチャンネル番号を全く意識することなく希望する映像情報の配信要求を行うことができ、かつ、映像情報の配信を依頼する配信依頼者においては、配信する映像データの変更が発生しても、そのホームページを作成するためのプログラムの変更を必要としない、インターネットを利用した映像情報配信システムを提供することにある。
【００１２】
【課題を解決するための手段】
本発明は、インターネットを利用して映像情報の配信を依頼する配信依頼者のホームページと、前記配信依頼者から依頼された映像情報についてインターネットを利用して配信可能な映像データとして蓄積した映像配信業者の映像配信サーバと、前記映像情報の配信要求を前記配信依頼者のホームページを介して行う視聴者の映像受信装置とから構成され、前記映像配信業者は、前記配信依頼者に１個または複数の管理番号を割り付けるようにした映像情報配信システムであって、
前記映像配信サーバに蓄積された前記映像データは、前記管理番号と対応付けられて記憶され、かつ、
前記配信依頼者のホームページは、前記配信依頼者に割り付けられた管理番号を介して前記映像配信サーバに蓄積された前記映像データにリンクされている映像情報配信システムである。
【００１３】
さらに、本発明において、前記映像配信サーバは、前記管理番号と前記蓄積した映像データとの対応付けを行うサーバ管理ファイルを備えている映像情報配信システムである。
【００１４】
さらに、本発明において、前記配信依頼者のホームページであって、前記管理番号を介して前記映像配信サーバに蓄積された前記映像データにリンクさせるためのプログラム部分には、前記配信依頼者に割り付けられた管理番号が埋め込まれている映像情報配信システムである。
【００１５】
さらに、本発明は、前記映像配信業者は、前記配信依頼者に割り付けた管理番号を前記配信依頼者にレンタルまたは販売するようにした映像情報配信システムである。
【００１６】
本発明において、配信依頼者とは、映像配信業者にインターネットを利用した映像情報の配信を依頼するスポンサーであり、企業、各種の団体、学校、個人、等を示す。配信依頼者は、自らデジタルビデオカメラ等で撮像したカセットテープ等の映像元データを映像配信業者に提供する。
【００１７】
また、映像配信業者とは、配信依頼者から提供された映像元データをデジタルデータとしてパーソナルコンピュータに蓄積した後、インターネット上に配信できる形式に変換して映像配信サーバに蓄積し、視聴者から配信依頼者のホームページを介して配信要求が発生すると、この映像データを配信する業者を示す。
【００１８】
また、視聴者とは、本発明のシステムを利用して、映像配信業者がインターネット上に公開しているホームページから、この映像配信業者の映像情報の配信要求と視聴を行う一般人、および企業、各種の団体、学校等に属する従業者などであり、インターネットに接続されたパーソナルコンピュータからなる映像受信装置を備えている者を示す。
【００１９】
さらに、本発明において、管理番号とは、映像配信業者に対して映像情報の配信依頼を行う配信依頼者ごとに、映像配信業者が割り付けた管理番号、すなわち、映像配信業者が配信依頼者に付与した映像配信権利を示す識別番号である。この管理番号としては、例えば、ＣＨ１，ＣＨ２、ＣＨ３、・・・のように、英数字の組み合わせからなり、目で見て識別し易い３〜５文字程度にすることが好ましい。また、この管理番号は、映像配信契約が成立したときに、映像配信業者が配信依頼者に１個または複数の管理番号を割り付けるものである。
【００２０】
【発明の実施の形態】
以下、本発明の実施の形態を図面に基づいて説明する。図１は、本発明の第１のシステム構成例を示す。図１において、１ａ、１ｂ、１ｃ、・・・は、映像情報の配信を要求する視聴者の受信装置であり、パーソナルコンピュータから構成される。２ａ、２ｂ、２ｃ、・・・は、映像情報の配信を依頼する各配信依頼者のサーバであり、パーソナルコンピュータ等から構成される。なお、この配信依頼者とは、前記の通り、企業、各種の公共団体、学校、個人、等を示す。
【００２１】
３は、映像配信業者の映像配信サーバであり、パーソナルコンピュータ等から構成される。なお、映像配信業者とは、前記のように、配信依頼者がデジタルビデオカメラ等の撮像手段により撮像したビデオテープ等の映像元情報を、インターネットを介して配信可能なデータ形式（以下、映像データという）に変換して映像配信サーバ３に蓄積（記憶）し、さらに、視聴者から映像データの配信要求が発生すると、この配信要求された映像データを、インターネットを介して配信する業者のことを示す。
【００２２】
４は、インターネットである。視聴者の受信装置１ａ、１ｂ、１ｃ、・・・、配信依頼者のサーバ２ａ、２ｂ、２ｃ、・・・、映像配信業者の映像配信サーバ３は、プロバイダ５を介してインターネット４に接続されている。なお、視聴者の受信装置１ａ、１ｂ、１ｃ、・・・とプロバイダ５とは、一般電話回線、ＩＳＤＮ回線、ケーブルテレビ回線、ＡＤＳＬ回線の通信回線等を利用して接続されている。
【００２３】
本発明のシステムにおいては、図２に示すように、配信依頼者はホームページ画面６をインターネット４上に公開する。そして、視聴者はこのホームページ６の画面を利用して映像データの配信要求を行うようなシステムにしている。この配信する映像情報は、例えば、企業、各種公共団体等のＰＲや公告情報、サービス業務内容、新製品情報、個人の場合は遠方にいる家族の状況等の映像（動画像、静止画像、音声等）を示す。
【００２４】
配信依頼者が公開するホームページ画面６には、視聴者が映像の配信要求を行うため手段を供えている。図２においてこの手段としては、窓枠６ａを設定している。例えば、窓枠６ａ内のボタン６ｂをマウスでクリックすると、新製品情報に関する映像情報の配信要求ができることを示している。すなわち、本発明においては、視聴者は、映像情報の配信要求を行うときに、各映像情報に割り付けられた従来のチャンネル番号を全く意識しないで要求することができる。なお、視聴者が画面上から配信要求を行う手段は、上記ボタン６ｂの他に、公知の他の手段を採用することができる。
【００２５】
続いて、本発明の映像情報配信システムの構成、構築手順および処理手順について説明する。パーソナルコンピュータから構成される視聴者の映像受信装置１ａ、１ｂ、１ｃは、インターネットエクスプローラ（マイクロソフト社製）等のＷＷＷプラウザ、および音声や映像情報を再生するためのプラグインソフトウエアをインストールしておく必要がる。
【００２６】
以下、視聴者が映像受信装置１ａ等を操作して、配信依頼者のサーバ２ａのホームページをアクセスして、希望する映像データの配信要求を行う手順について説明する。
【００２７】
（Ａ１）
まず、映像受信装置１ａ等を操作してＷＷＷプラウザソフトを立ち上げる。続いて、配信依頼者のホームページのＵＲＬ（Ｕｎｉｆｏｒｍ  ＲｅｓｏｕｒｃｅＬｏｃａｔｏｒ）を入力し、インターネット４を介して配信依頼者のホームページを画面に表示する。
【００２８】
（Ａ２）
すると、例えば、図２に示すようなホームページ６が表示されるので、視聴者は、映像の配信を要求するために、窓枠６ａ内のボタン６ｂをマウスでクリックする。
【００２９】
（Ａ３）
ボタン６ｂをマウスでクリックすると、配信依頼者のサーバ２ａは、この配信依頼者の管理番号を介して、映像配信サーバ３に蓄積されている映像ファイルとリンクする。このとき、映像配信サーバ３は、ホームページ６の画面上の一領域に、配信要求した映像情報を伝送する速度を選択する画面を表示させ、視聴者に、表示された通信速度をマウス操作により選択させるようにしてもよい。
【００３０】
なお、この通信速度とは、映像受信装置１ａ、１ｂ、１ｃ、・・・とプロバイダ５との通信回線の速度を示している。例えば、一般電話回線、ＩＳＤＮ回線では３２Ｋｂｐｓ、ケーブルテレビ回線あるいはＡＤＳＬ回線では２５６Ｋｂｐｓを選択するようにする。このように、視聴者に通信速度を選択させる理由は、映像受信装置１ａ等が設置されている場所により通信回線の種類が異なるので、映像配信サーバ３は、この通信速度に合わせた伝送速度で映像データを配信した方が、視聴者の映像受信装置１ａ等は、より鮮明な映像データを再生することができるからである。
【００３１】
（Ａ４）
上記手順（Ａ３）の操作により適切な通信速度を選択すると、後記するように、映像配信サーバ３から配信要求した映像データが直ちに、インターネット４を介して配信要求した映像受信装置１ａ等に伝送される。そして、映像受信装置１ａは、映像データを順次受信しながら、受信した映像データを直ちにプラグインソフトにより再生して画面に表示させることができる。
【００３２】
配信依頼者が本発明のシステムを構築するための手順は次の通りである。
（Ｂ１）
まず、インターネット４利用して配信したい映像情報を、デジタルビデオカメラ等を使用して撮像する。そして、撮像したカセットテープ等の映像元データを映像配信業者に提供する。映像配信業者は、この映像元データの配信を依頼したスポンサーである配信依頼者に管理番号を割り付ける。例えば、ＣＨ５を割り付ける。
【００３３】
この管理番号（ＣＨ５）とは、配信依頼者のホームページと配信業者が配信する映像データとのリンクを行うリンク情報となるものである。映像配信業者がこの管理番号を割り付けると、映像データとのリンクを行うためのＨＴＭＬ言語内に、この管理番号（例えば、ＣＨ５）を記述し（埋め込み）、この部分のプログラムを配信依頼者にＥメール等を利用して連絡するようにするとよい。これにより、配信依頼者のホームページ作成プログラムにおいて、管理番号の記述ミスを防止することができる。
【００３４】
（Ｂ２）
次に、配信依頼者は図２に示すように、インターネット４を介して公開するホームページ画面６を、ＨＴＭＬ言語等を用いて作成する。このとき、ホームページ画面６において、映像情報の配信要求を受け付けるＨＴＭＬ言語内に、この配信依頼者に割り付けた管理番号を埋め込み、この管理番号を介して映像配信サーバ３にリンクされるようにする。
一方、映像配信サーバ３には、この管理番号と蓄積した映像データ（映像ファイル）とのリンクを行うサーバ管理ファイルが構築されているので、ホームページ画面６から管理番号を介して、視聴者が要求した映像データを、インターネット４を利用して配信することができるようになる。
【００３５】
上記のホームページを作成するＨＴＭＬ言語内に、配信依頼者に割り付けられた管理番号を埋め込み、この管理番号から、映像配信サーバ３に蓄積されている映像データのファイル名とリンクする仕組みは、本発明の特徴となる。この特徴により、視聴者は、従来のチャンネル番号を全く意識せず、かつ選択することなく、希望する映像情報の配信要求を行なうことができる。
【００３６】
本発明において、配信依頼者のホームページ６と、映像配信サーバ３とのリンクは、次のようになっている。図３に示すように、配信依頼者のサーバ２ａは、ホームページ６をインターネット４上に公開する。視聴者がボタン６ｂをクリックすると、ホームページ６は、このホームページのＨＴＭＬ言語内に埋め込まれている管理番号とリンクしている映像配信サーバ３のサーバ管理ファイル７（図４に示す）の該当する管理番号のファイル名とリンクする。
【００３７】
例えば、ホームページのＨＴＭＬ言語内に、リンクする管理番号としてＣＨ５が記述されていると、サーバ管理ファイル７の中から、ＣＨ５のファイルとリンクする。そして、ファイルＣＨ５のＵＲＬ欄には、配信要求された映像ファイルを蓄積している映像配信サーバのＵＲＬと映像ファイル名が記憶されているので、ＣＨ５にリンクしている映像データをインターネットにより視聴者に配信することができる。
【００３８】
上記のように、本発明においては、ホームページ６と映像配信サーバ３に蓄積している映像ファイルとは、ホームページ６を作成するにＨＴＭＬ言語内に埋め込まれている管理番号を介してリンクされるので、映像ファイルの新規作成等が生じても、ホームページ６のＨＴＭＬ言語に記述されている管理番号を変更する必要はない。これにより、ホームページ６を作成するＨＴＭＬ言語を手直して再度アップロードする必要がないという効果が生じる。
【００３９】
次に、映像配信業者の映像配信サーバ３の構成、構築手順および映像データの配信手順について説明する。
（Ｃ１）
まず、配信依頼者から提供されたビデオテープ等を、希望する再生時間になるように編集する。続いて、このデジタル化された映像情報をパーソナルコンピュータのハードディスク装置に記憶させる。
【００４０】
（Ｃ２）
続いて、上記手順（Ｃ１）によりパーソナルコンピュータに記憶した映像情報を、視聴者の映像受信装置１ａ等で視聴可能なメディア形式に変換する作業を行う。この変換作業は、例えば、変換ソフトウエアであるＲｅａｌＭｅｄｉａ（Ｒｅａｌ  Ｎｅｔｗｏｒｋｓ社）等を使用してデータ圧縮された形式に変換し、かつ、例えば、配信通信速度３２Ｋｂｐｓと、２５６Ｋｂｐｓの２パターンに変換したファイルを作成する。そして、このようにして変換したファイルには、ファイル名、管理番号名称、配信期間を設定して記憶させ、パーソナルコンピュータのハードディスク装置に一時記憶しておく。このパーソナルコンピュータは、映像配信サーバとは別のパーソナルコンピュータを使用するようにする。
【００４１】
（Ｃ３）
続いて、手順（Ｃ２）で作成した映像ファイルに関する情報を、映像配信サーバ３のサーバ管理ファイル７内に新規ファイルとして登録する。このサーバ管理ファイル７は、映像配信サーバ３に記憶されるファイルであり、図４に示すようなデータ構成になっている。サーバ管理ファイル７は、例えば、管理番号ごとに独立したファイルとし、配信依頼者名、管理番号名称、ＵＲＬと映像ファイル名、配信期間（映像の配信開始日と配信終了日）等を記憶させたファイル構成にしたものである。なお、上記管理番号名称としては、例えば、「新製品紹介」等、この映像情報のジャンルを記憶させおくと、サーバ管理ファイル７の記憶内容のメンテナンスを対話方式で行うときに、ミスの発生をより防止することができる。
【００４２】
（Ｃ４）
続いて、上記手順（Ｃ２）でパーソナルコンピュータに視聴可能なメディア形式に変換して記憶した映像ファイルを、映像配信サーバ３のハードディスク装置にアップロードして記憶する。このとき、同一のファイルについて、それぞれ配信通信速度ごとに変換したファイルをアップロードして記憶するようにする。
【００４３】
続いて、視聴者から映像データの配信要求が発生したとき、映像配信サーバ３は下記の処理を行なう。なお、この処理は、映像配信サーバ３に組み込まれているＨＴＭＬで記述されたソフトウエア、およびその他のアプリケーションプログラムにより実行される。
【００４４】
（Ｄ１）
配信依頼者のサーバ２ａ等により公開されたホームページ６から、視聴者のマウス操作により、まず管理番号がリンクされる。このリンクでは、映像配信サーバ３のサーバ管理ファイル７の該当する管理番号のファイルが参照される。例えば、ホームページ６から管理番号５がリンクされると、図４に示すサーバ管理ファイル７の管理番号ＣＨ５のＣＨ５ファイルがリンクされる。なお、ホームページ６におけるこのリンク部分のＨＴＭＬ言語例の一部を示すと下記のようになる。
2004297743.tif 000003
【００４５】
（Ｄ２）
上記手順（Ｄ１）により、サーバ管理ファイル７の管理番号５がリンクされると、ファイルＣＨ５のＵＲＬ欄８には、配信要求された映像ファイルを蓄積している映像配信サーバのＵＲＬと映像ファイル名が記憶されているので、映像配信サーバ３は、ＣＨ５にリンクした映像データを取り出すことができる。これにより、映像配信サーバ３は、この映像ファイルに記憶している映像データをインターネット４に配信し、視聴者は配信要求した映像を視聴することができるようになる。
【００４６】
上記した実施形態においては、配信依頼者に１個の管理番号を割り付けた例について説明したが、本発明は、配信依頼者に２個以上の管理番号を割り付けこともできる。この場合には、配信依頼者のホームページ画面６には、複数種の映像情報の中から１種を選択するための複数個のクリックボタン等のリンク手段の画面を設定する。そして、このクリックボタンごとに管理番号を埋め込み、映像配信サーバ３のサーバ管理ファイル７の管理番号とリンクさせるようにする。
【００４７】
続いて、本発明の第２のシステム構成例を図５に基づいて説明する。図５においては、映像配信サーバ３を、インターネット４に接続した３台のサーバ９、１０、１１から構成し、このうち、１台のサーバ（例えば、サーバ９）は、映像データを蓄積した２台のサーバ１０、１１に対して配信の指示を行うシステムとしたものである。このようなシステム構成にすると、配信依頼者の数が増加して、配信する映像データを記憶した映像ファイルが多くなった場合に有効なシステムになる。図５に示すシステム構成においては、サーバ９に、図４に示すサーバ管理ファイル７を記憶させておき、他の２台のサーバ１０、１１に対して蓄積している映像データの配信ができるようにリンクさせる。
【００４８】
以上に説明した本発明の映像情報配信システムは、近年のインターネットの普及に伴い、映像の配信依頼者である企業、各種の公共団体、学校、個人のＰＲおよび各種の映像情報の提供手段として利用価値が大である。従って、映像配信業者は、映像配信のスポンサーである企業等に管理番号をレンタル、または販売するシステムとして収益を上げることも可能である。この場合、視聴者は誰でも映像情報の配信要求ができるようにすることが望ましいが、視聴者にＩＤ番号等を入力させて、予め登録された視聴者のみに映像を配信することもできる。このような場合は、例えば、配信依頼者は個人であり、視聴者はその家族の場合である。
【００４９】
【発明の効果】
以上に説明した本発明は、次の効果を有している。
（１）ホームページを利用した映像情報の配信要求に対して、配信要求された映像データを記憶しているファイル名とリンクさせるのではなく、配信依頼者に割り付けられた管理番号とリンクさせるので、配信する映像データの更新等が発生しても、配信依頼者のホームページを作成するプログラムは、全く変更する必要はない。
【００５０】
（２）視聴者は、チャンネル番号を全く意識しないで、ホームページ上から映像情報の配信を要求することができる。
【００５１】
（３）企業等において、各地に事業所、支店が分散している場合、従来は各事業所、支店ごとにホームページを作成して映像を配信するケースがあった。しかし、本システムを採用すれば、事業所ごとに個別のホームページを作製した場合においても、これら各ホームページから企業に割り付けられた管理番号とリンクされた映像情報を配信させることができる。すなわち、各事業所のホームページから、同一の映像情報を視聴者に配信することができる。さらに、企業の各事業所は、そのサーバに映像データを記憶させておく必要がないという効果も生じる。
【図面の簡単な説明】
【図１】本発明の第１のシステム構成例を示す図である。
【図２】本発明において、配信依頼者がインターネット上で公開するホームページの画面例を説明するための図である。
【図３】配信依頼者のホームページと、映像配信サーバが記憶している映像ファイルとのリンク関係を説明するための図である。
【図４】管理番号と映像ファイルとのリンクをとるサーバ管理ファイルの構成を説明するための図である。
【図５】本発明の第２のシステム構成例を示す図である。
【符号の説明】
１ａ、１ｂ、１ｃ：視聴者の映像受信装置
２ａ、２ｂ、２ｃ：配信依頼者のサーバ
３  ：映像配信業者の映像配信サーバ
４  ：インターネット
５  ：プロバイダ
６  ：配信依頼者のホームページ画面
６ａ：ホームページ画面６に設定された窓枠
６ｂ：ボタンスイッチ
７  ：サーバ管理ファイル
８  ：ＵＲＬ欄
９、１０、１１：サーバ
【図１】
2004297743.tif 000004
【図２】
2004297743.tif 000005
【図３】
2004297743.tif 000006
【図４】
2004297743.tif 000007
【図５】
2004297743.tif 000008